(57)【要約】      （修正有）【課題】国によって異なるジャックと商用電力のコンセント差込刃を簡単に切り替えることができる電源プラグとジャック変換装置を提供する。【解決手段】本体に隣接する異なる表面にくりぬき孔と複数の貫通孔１１２を設け、これらの収納空間１１０には座体１２を設け、座体上にはくりぬき孔と正面から突き合わせるジャック１２１を設ける。くりぬき孔外側壁面とジャック上には水平方向に可動するスライド蓋２を定位し、スライド蓋の両側には水平前方に延伸し、貫通孔位置に正面から突き合わせる差込刃２２を設ける。ジャック両側には導電端子１２２を設け、差込刃は貫通孔を通り導電端子と電気的接触をする。スライド蓋でジャックを遮蔽していない場合は、異なる形式のコードのプラグをジャックに突き合わせて使用し、差込刃を貫通孔から押し出した後は、商用電力のコンセントに直接挿入して使用する。【選択図】図２
0003185166.tif 000002
【実用新案登録請求の範囲】
【請求項１】
本体とスライド蓋を含む電源プラグとジャック変換装置において、
該本体には収納空間を備える外殻を設け、該外殻表面にはくりぬき孔と、異なる表面に隣接する複数の貫通孔を設け、尚且つくりぬき孔と複数の貫通孔の外殻にある収納空間箇所には座体を設け、並びに座体上にはくりぬき孔と正面から突き合わせるジャックを設け、ジャックの突合せ孔には挿着端子を設け、またジャックの両側にはいずれも二つの挿着端子と電気的に接続する導電端子を設け、導電端子は本体内に予め設けた電子装置の回路と電気的に接続し、
前記スライド蓋は可動形態で本体のくりぬき孔外側の内壁面と座体のジャック間に定位し、並びにスライド蓋の両側にはスライド蓋の水平位置より前方に延伸する差込刃を貫設定位し、尚且つ二つの差込刃は空中方向に外殻表面の貫通孔位置に正面から突き合わせ、また差込刃はスライド蓋の両側に二つの差込刃が外殻表面の貫通孔を通り抜けた後に導電端子と電気的に接続する接触部を設けることを特徴とする電源プラグとジャック変換装置。
【請求項２】
前記本体の収納空間のくりぬき孔と複数の貫通孔箇所には座体を組み合わせる定位穴部を設けることを特徴とする請求項１に記載の電源プラグとジャック変換装置。
【請求項３】
前記定位穴部内の壁面の二側面にはガイドレールを設け、座体の二側面にはガイドレールに対応して組み合わせて連結するレール溝を設けることを特徴とする請求項２に記載の電源プラグとジャック変換装置。
【請求項４】
前記本体の外殻のくりぬき孔の後方内側壁面には定位溝を設け、スライド蓋の外表面の後方側位置には定位溝と嵌合する定位突出部を突設することを特徴とする請求項１に記載の電源プラグとジャック変換装置。
【請求項５】
前記各導電端子には弾性を備えた第一接点、第二接点、第三接点を形成し、第一接点は導電端子の接触部と電気的に接続し、第二接点はジャックの突合せ孔内の挿着端子と電気的に接続し、第三接点は本体内に予め設けた電子装置の回路と電気的に接続することを特徴とする請求項１に記載の電源プラグとジャック変換装置。
【請求項６】
前記スライド蓋の外表面の前方側位置にはくりぬき孔の前後壁面エッジを阻止するストッパーを突設することを特徴とする請求項１に記載の電源プラグとジャック変換装置。
【請求項７】
前記スライド蓋内表面の両側には下方向に突出して伸びる側面アームを設け、差込刃は側面アーム上に貫設定位し、並びに差込刃の接触部は側面アームの外部に露出することを特徴とする請求項１に記載の電源プラグとジャック変換装置。
【考案の詳細な説明】
【技術分野】
【０００１】
本考案は、電源プラグとジャック変換装置を提供する。スライド蓋の移動経路上に直接ジャックを設置する巧みな設計を通して、国によって異なるコードを使用したジャックと商用電力のコンセントに直接挿入する差込刃を簡単に切り替えることができ、体積が小さく利便性がありさらに低コストを実現する。
【背景技術】
【０００２】
現在は電子科学技術の急速な発展により、パソコン、ノートブックパソコン、携帯情報端末ＰＤＡ（Personal Digital Assistants）、携帯電話、周辺機器等の各種電子機器が社会のあちらこちらに普遍的に存在するようになった。各種電子機器は小体積、軽量、携帯に便利なことが求められ、電子機器は軽薄短小のニーズに応じる設計となっている。
電子機器の体積を縮小するために、電子機器内部の回路基板上のパーツは、小さく精密であることが必要とされ、電子機器を使用する際は、ほとんどが電力変換装置を電力供給をしたり充電するのに用いている。
図７に示した図は、公知のノートブックパソコンの電力変換装置の立体図である。図中から理解される通り、ノートブックパソコンを商用電力のコンセントに接続する時は、コードＡ、変圧器Ｂ、コードＣを備え、コードＡのプラグＡ１は商用電力のコンセントに接続した後、交流電力をコードＡに供給し、さらにコネクタＡ２を変圧器ＢのジャックＢ１に挿着することにより、変圧器Ｂによって交流電力を直流電力に変換し、コードＣを介して直流電力を出力してノートブックパソコンに必要な電源を提供する。しかしコードＡのプラグＡ１は国によって規格形状が異なるため、使用者はプラグＡ１の形状を規定する国に応じて、異なるプラグＡ１形式のコードＡを別に携帯して使用する必要がある。ノートブックパソコンは益々、軽薄短小の方向に発展しているが、加えていかにコードＣを備えた変圧器Ｂとそれに接続するコードＡを気軽に便利に携帯できるかも課題となっている。
【考案の概要】
【考案が解決しようとする課題】
【０００３】
よって、本考案者は前述した公知の欠点に鑑み、本業界に従事した長年の研究開発経験に基づいて試作と修正を繰り返し、本考案の電源プラグとジャック変換装置を生み出した。
【課題を解決するための手段】
【０００４】
本考案の主な目的は、本体上に可動形態で設置したスライド蓋の移動経路上に直接ジャックを設置し、スライド蓋がジャックの突合せ孔位置のくりぬき孔を遮蔽していない場合、国によって異なるコードのプラグをジャックに突き合わせて使用し、またスライド蓋の差込刃を外殻の貫通孔から押し出して使用する場合、同時に差込刃の接触部と導電端子を電気的に接触させ、差込刃を一般電力のコンセントに直接挿入して使用し、これにより、体積が小さく利便性がありさらに低コストという効果を達成する電源プラグとジャック変換装置の提供にある。
【０００５】
本考案の次の目的は、差込刃を商用電力のコンセントに直接挿入して使用する場合、スライド蓋でくりぬき孔を遮蔽すると、ジャックは外側に露出することなく、導電物体が接触することによる短絡事故を防ぐ電源プラグとジャック変換装置の提供にある。
【０００６】
本考案の三つ目の目的は、本考案が本体に直接設置した差込刃を異なる形式とし、使用者のいる国の規定に符合させ、しかも使用者がいる国で最も多く使用されているものとすることで、コードを別に携帯したり購入する必要がない電源プラグとジャック変換装置の提供にある。
【考案の効果】
【０００７】
本考案の電源プラグとジャック変換装置には次の効果がある。
（1）本考案は、差込刃２２のスライド蓋２とジャック１２１は空間の重なった設置をしているため、本体１の体積を効果的に縮小できる。
（2）本考案は、本体１に差込刃２２を直接設置するため、差込刃２２を使用する方式で電力供給する国ではコード３を別に携帯する必要はなく、携帯するパーツを減らすことができ使用をより便利にする。
（3）本考案は体積を縮小できるため、その本体１外殻１１の材料コストも更に低減することが出来る。
（4）本考案は差込刃２２を商用電力のコンセントに直接挿入して使用する場合、スライド蓋２でくりぬき孔１１１を遮蔽すると、ジャック１２１は外側に露出することなく、導電物体が接触することによる短絡事故を効果的に防ぐことができる。
【図面の簡単な説明】
【０００８】
【図１】本考案の立体外観図である。
【図２】本考案の立体分解図である。
【図３】本考案を別の角度からみた立体分解図である。
【図４】本考案のスライド蓋の差込刃を押し出した時の側面断面図である。
【図５】本考案のスライド蓋の差込刃を押し出す前の側面断面図である。
【図６】本考案のコードを突き合わせる前の立体図である。
【図７】公知のノートブックパソコン電力変換装置の立体図である。
【考案を実施するための形態】
【０００９】
図１、図２、図３には本考案の立体外観図、立体分解図、別の角度からみた立体分解図を示す。図から明確に理解される通り、それは本体１とスライド蓋２を含む。
【００１０】
そのうち、本体１には収納空間１１０を備える外殻１１を設け、外殻１１表面にはくりぬき孔１１１と、くりぬき孔１１１後方内側壁面にへこんだ形状で設けた定位溝１１０１と、異なる表面に隣接する複数の貫通孔１１２を設け、並びにくりぬき孔１１１と複数の貫通孔１１２の外殻１１の収納空間１１０箇所には座体１２を組み合わせる定位穴部１１３を設け、該定位穴部１１３内の壁面の二側面にはガイドレール１１４を設ける。
また座体１２の二側面には別にガイドレール１１４に対応して組み合わせて連結するレール溝１２３を設け、座体１２上にはくりぬき孔１１１と正面から突き合わせるジャック１２１を設け、ジャック１２１の突合せ孔１２１１には挿着端子１２１２を設ける。
またジャック１２１の両側にはいずれも導電端子１２２を設け、各導電端子１２２にはいずれも弾性を備えた第一接点１２２１、第二接点１２２２、及び第三接点１２２３を形成する。
前述の第一接点１２２１は導電端子１２２の接触部２２１と電気的に接続し、第二接点１２２２は、ジャック１２１の突合せ孔１２１１内の挿着端子１２１２と電気的に接続し、第三接点１２２３は本体１内に予め設けた電子装置の回路と電気的に接続する。
【００１１】
スライド蓋２は可動形態で本体１のくりぬき孔１１１外側の内壁面と座体１２のジャック１２１間に定位し、そのスライド蓋２の外表面の前後位置にはストッパー２１と定位突出部２３を突設し、スライド蓋２内表面の両側には下方向に突出して伸びる側面アーム２０を設け、側面アーム２０上にはスライド蓋２の水平位置より前方に延伸する差込刃２２を貫設定位し、尚且つ二つの差込刃２２は空中方向に外殻１１表面の貫通孔１１２位置に正面から突き合わせ、また、差込刃２２は側面アーム２０箇所に外部に露出する接触部２２１を設ける。
【００１２】
図４、図５、図６には、本考案のスライド蓋の差込刃を押し出した時の側面断面図、スライド蓋の差込刃を押し出す前の側面断面図、コードを突き合わせる前の立体図を示した。本考案のスライド蓋２を差込刃２２が貫通孔１１２に露出するように押し出す前に、そのストッパー２１はくりぬき孔１１１の内側壁面エッジを阻止し、ジャック１２１の突合せ孔１２１１を露出させる。また、コード３のプラグをジャック１２１に突き合わせることにより、国によって異なるコード３を使用することができる。
【００１３】
スライド蓋２を前方向に押し動かした後、その二つの差込刃２２は、くりぬき孔１１１箇所に対応して本体１外部に貫通突出する。それと同時に、ストッパー２１はくりぬき孔１１１の外側板面を阻止し、定位突出部２３は定位溝１１０１内に嵌入し定位をなす。これにより、差込刃２２の接触部２２１は導電端子１２２の弾性を備えた第一接点１２２１上を押圧し電気的に接触し、使用者は差込刃２２を直接商用電力のコンセント（未図示）に挿入して使用することができる。またスライド蓋２は同時にジャック１２１の突合せ孔１２１１上方のくりぬき孔１１１位置を遮蔽することもできる。
【００１４】
また差込刃２２は商用電力のコンセント（未図示）に直接挿入して使用することも可能であり、そのスライド蓋２はくりぬき孔１１１を遮蔽すると、そのジャック１２１は外側に露出しない。
この方式によって導電物体がジャック１２１の挿着端子１２１２に接触して短絡事故が発生するのを防ぐ効果を効果的に達成する。
【００１５】
また、本考案が本体１に直接設置した差込刃２２を異なる形式としてもよく、使用者のいる国の規定に符合させ、しかも使用者がいる国で最も多く使用されているものとすることで、コード３を別に携帯したり購入する必要がない。
【００１６】
本考案は主に、本体１の外殻１１のスライド蓋２移動経路上に直接ジャック１２１を設置し、スライド蓋２がジャック１２１のくりぬき孔１１１を遮蔽していない場合、国によって異なるコード３のプラグ側をジャック１２１に突き合わせて電気的接続を行い、スライド蓋２の差込刃２２を押し出して貫通孔１１２を貫通した後は、商用電力のコンセント（未図示）に直接挿入して使用できることがその重点である。尚、前記構造の簡易修飾及び同等効果を備えた構造の変化は全て、本考案の実用新案登録請求の範囲内に包含されることをここに明記する。
【００１７】
本考案の本体１の外殻１１のスライド蓋２移動経路上にジャック１２１を直接設置する設計には次のような長所がある。
（1）本考案は、差込刃２２のスライド蓋２とジャック１２１は空間の重なった設置をしているため、本体１の体積を効果的に縮小できる。
（2）本考案は、本体１に差込刃２２を直接設置したため、差込刃２２を使用する方式で電力供給する国は、コード３を別に携帯する必要はなく、携帯するパーツを減らすことができ、使用をより便利にする。
（3）本考案は体積を縮小したため、その本体１外殻１１の材料コストも更に低減することが出来る。
（4）本考案は差込刃２２を商用電力のコンセントに直接挿入して使用する場合、スライド蓋２でくりぬき孔１１１を遮蔽すると、ジャック１２１は外側に露出することなく、導電物体が接触することによる短絡事故を効果的に防ぐことができる。
【００１８】
前述したとおり、本考案は電源プラグとジャック変換装置の構造において確実にその効果と目的を達成することができる。
よって、本考案は実用性に優れた考案で実用新案の出願要件に符合するものであり、ここに特許法に基づいて出願を行う。
【符号の説明】
【００１９】
１        本体
１１      外殻
１１０    収納空間
１１０１  定位溝
１１１    くりぬき孔
１１２    貫通孔
１１３    定位穴部
１１４    ガイドレール
１２      座体
１２１    ジャック
１２１１  突合せ孔
１２１２  挿着端子
１２２    導電端子
１２２１  第一接点
１２２２  第二接点
１２２３  第三接点
１２３    レール溝
２        スライド蓋
２０      側面アーム
２１      ストッパー
２２      差込刃
２２１    接触部
２３      定位突出部
３        コード
Ａ        コード
Ａ１      プラグ
Ａ２      コネクタ
Ｂ        変圧器
Ｂ１      ジャック
Ｃ        コード
【図１】
0003185166.tif 000003
【図２】
0003185166.tif 000004
【図３】
0003185166.tif 000005
【図４】
0003185166.tif 000006
【図５】
0003185166.tif 000007
【図６】
0003185166.tif 000008
【図７】
0003185166.tif 000009